(57)【要約】【課題】塵埃などを除去するための細塵フィルタを自動的にメンテナンスすることができる電気掃除機を得ること。【解決手段】電動送風機２の動作を切り替える動作切替スイッチ６と、塵埃を捕集する集塵室４の下流にある１次フィルタ部１３を通過した微細な塵埃を除去する微細フィルタ１４を有する２次フィルタ部５と、２次フィルタ部を覆うカバー１６の下方に形成された風路１９と、カバーの壁面の下方に設けられ、風路に連通する塵戻し口１８と、微細フィルタに付着した塵埃を除去する除塵手段２５の動作に連動して塵戻し口を開閉するシャッタ２０と、シャッタの開閉状態を検出するシャッタ開閉検出手段２４と、動作切替スイッチのオン操作時に除塵手段を動作させ、シャッタ開閉検出手段がシャッタ閉状態を検出したときに除塵手段の動作を停止させると共に電動送風機を動作させるマイコン２９とを備えて構成される。【選択図】図１
2008104782.tif 000002
【特許請求の範囲】
【請求項１】
吸引風を発生する電動送風機と、
該電動送風機の動作を切り替える動作切替スイッチと、
吸引された塵埃を捕集する集塵室と、
該集塵室の下流に設けられた１次フィルタ部と、
該１次フィルタ部を通過した微細な塵埃を除去する微細フィルタが設けられた２次フィルタ部と、
該２次フィルタ部を覆うように設けられたカバーと、
該カバーの下方に形成され、前記１次フィルター部よりも上流側に連通する風路と、
前記カバーの壁面のうち、前記２次フィルタ部の中心よりも下方の位置に設けられ、前記風路に連通する塵戻し口と、
前記微細フィルタに付着した塵埃を除去する除塵手段と、
該除塵手段の動作に連動して前記塵戻し口を開閉する開閉手段と、
該開閉手段の開閉状態を検出する開閉検出手段と、
前記動作切替スイッチのオン操作による入力信号を受けて前記除塵手段を動作させ、前記開閉検出手段が前記開閉手段の閉状態を検出したときに前記除塵手段の動作を停止させると共に前記電動送風機を動作させる制御手段と、
を備えたことを特徴とする電気掃除機。
【請求項２】
前記制御手段は、前記電動送風機を動作中に前記動作切替スイッチのオフ操作による入力信号を受けて前記電動送風機の動作を停止させ、該電動送風機が停止状態となったとき、前記開閉検出手段が前記開閉手段の開状態を検出するまで前記除塵手段を動作させることを特徴とする請求項１記載の電気掃除機。
【請求項３】
前記２次フィルタ部の有無状態を検出する２次フィルタ検出手段を設け、前記制御手段は該２次フィルタ検出手段のフィルタ部有りの検出信号を受けて前記除塵手段及び前記電動送風機の動作可能状態に設定すると共に該２次フィルタ検出手段のフィルタ部無しの検出信号を受けて前記除塵手段及び前記電動送風機の動作不可状態に設定することを特徴とする請求項１又は２記載の電気掃除機。
【請求項４】
前記集塵室の有無状態を検出する集塵室検出手段を設け、前記制御手段は該集塵室検出手段の集塵室有りの検出信号を受けて前記除塵手段及び前記電動送風機の動作可能状態に設定すると共に該集塵室検出手段の集塵室無しの検出信号を受けて前記除塵手段及び前記電動送風機の動作不可状態に設定することを特徴とする請求項１又は２記載の電気掃除機。
【請求項５】
前記２次フィルタ部の有無状態を検出する２次フィルタ検出手段と前記集塵室の有無状態を検出する集塵室検出手段とを設け、前記制御手段は該２次フィルタ検出手段のフィルタ部有りの検出信号と該集塵室検出手段の集塵室有りの検出信号を受けたときだけ前記除塵手段及び前記電動送風機の動作可能状態に設定し、それ以外の状態の検出信号を受けたときには前記除塵手段及び前記電動送風機の動作不可状態に設定することを特徴とする請求項１又は２記載の電気掃除機。
【請求項６】
前記制御手段は、前記開閉検出手段から前記開閉手段の開状態の検出を所定時間連続して受けたときに前記除塵手段及び前記電動送風機の動作不可状態に設定することを特徴とする請求項１又は２記載の電気掃除機。
【請求項７】
報知を行う報知手段を備え、前記制御手段は前記除塵手段及び前記電動送風機の動作不可状態に設定したときには前記報知手段を動作させることを特徴とする請求項３〜６のいずれかに記載の電気掃除機。
【請求項８】
前記制御手段は、前記報知手段の動作中に前記切替スイッチのオン操作による入力信号を受けたときは前記報知手段にその入力信号の受付を拒否する受付拒否音の報知を行わせること特徴とする請求項７記載の電気掃除機。
【発明の詳細な説明】
【技術分野】
【０００１】
本発明は、微細フィルタに細塵が巻き上げられて細塵フィルタに再度付着するのを防止し、さらに塵埃などを除去するための細塵フィルタを自動的にメンテナンスするようにした電気掃除機に関するものである。
【背景技術】
【０００２】
細塵室に貯留された細塵が電動送風機の作動時に巻き上げられて細塵フィルタに再度付着するようなことを防止できる従来の電気掃除機は、集塵容器及び集塵容器に吸込負圧を作用させる電動送風機が設けられた掃除機本体と、集塵容器の上流側に配設されて塵埃を捕集するネットフィルタと、集塵容器の下流側に配設されてネットフィルタを透過した細塵を捕捉させるプリーツフィルタと、プリーツフィルタに付着した塵埃を落とす振動付与手段と、上方に開口してプリーツフィルタから落とされる細塵を貯留する細塵捕集溝と、細塵捕集溝の上部開口端を開閉する開閉部材を備えて構成されている。
【０００３】
しかも、この電気掃除機には、振動付与手段を作動させるときには開閉部材を開いて細塵捕集溝の上部開口端を開放し、且つ、電動送風機が作動するときには開閉部材を閉じて細塵捕集溝の上部開口端を閉成させる開閉部材開閉手段が設けられている。
また、駆動モータ又はソレノイド等のアクチュエータ（回転駆動手段）により支持軸を回転駆動させることにより、開閉部材を支持軸と一体に回動させ、開閉部材により細塵捕集溝の開閉をできるようにし、この場合には、掃除機本体内に図示しないバッテリを設け、手動の開閉部材開スイッチ及び開閉部材閉スイッチを設けると共に、開閉部材開スイッチ又は開閉部材閉スイッチをＯＮ操作することでアクチュエータにバッテリからの電力を供給して、開閉部材の開閉操作をするようにする。
さらに、電源コードのコードリールへの巻取り開始を検出するセンサを設けると共に、このセンサからの出力によりアクチュエータで開閉部材を開いた後、所定時間(例えば、５〜１０秒)経過後にアクチュエータにより開閉部材を閉じさせる制御回路を設けたものがある（例えば、特許文献１参照）。
【特許文献１】特開２００６−６３８３号公報（第１頁、図２）
【発明の開示】
【発明が解決しようとする課題】
【０００４】
しかしながら、上記従来の電気掃除機においては、開閉部材の駆動を駆動モータで行うときは、開閉部材の開閉手段に開閉部材開スイッチと開閉部材閉スイッチを設け、手動で開閉部材の操作を行うので、使用者が開閉部材閉スイッチを操作を忘れたときは、開閉部材が開状態にて電動送風機が動作することができ、細塵室に貯留された細塵が巻き上げられて細塵フィルタに再度付着するという問題があった。
また、コードリールの巻取り開始をセンサで検出し、アクチュエータで開閉部材を開いた後、所定時間後にアクチュエータで開閉部材を閉じさせる構成では、所定時間内は開閉部材が開状態になる時があり、そのとき電動送風機が動作状態となり、細塵室に貯留された細塵が巻き上げられて細塵フィルタに再度付着するという問題があった。
本発明は、上記のような問題を解決するためになされたもので、２次フィルタ部の微細フィルタに細塵が巻き上げられて細塵フィルタに再度付着するのを防止し、さらに塵埃などを除去するための細塵フィルタを自動的にメンテナンスすることができる電気掃除機を得ることを目的とするものである。
【課題を解決するための手段】
【０００５】
本発明に係る電気掃除機は、吸引風を発生する電動送風機と、該電動送風機の動作を切り替える動作切替スイッチと、吸引された塵埃を捕集する集塵室と、該集塵室の下流に設けられた１次フィルタ部と、該１次フィルタ部を通過した微細な塵埃を除去する微細フィルタが設けられた２次フィルタ部と、該２次フィルタ部を覆うように設けられたカバーと、該カバーの下方に形成され、前記１次フィルター部よりも上流側に連通する風路と、前記カバーの壁面のうち、前記２次フィルタ部の中心よりも下方の位置に設けられ、前記風路に連通する塵戻し口と、前記微細フィルタに付着した塵埃を除去する除塵手段と、該除塵手段の動作に連動して前記塵戻し口を開閉する開閉手段と、該開閉手段の開閉状態を検出する開閉検出手段と、前記動作切替スイッチのオン操作による入力信号を受けて前記除塵手段を動作させ、前記開閉検出手段が前記開閉手段の閉状態を検出したときに前記除塵手段の動作を停止させると共に前記電動送風機を動作させる制御手段とを備えてなるものである。
【発明の効果】
【０００６】
本発明に係る電気掃除機によれば、吸引風を発生する電動送風機と、電動送風機の動作を切り替える動作切替スイッチと、吸引された塵埃を捕集する集塵室と、集塵室の下流に設けられた１次フィルタ部と、１次フィルタ部を通過した微細な塵埃を除去する微細フィルタが設けられた２次フィルタ部と、２次フィルタ部を覆うように設けられたカバーと、カバーの下方に形成され、１次フィルター部よりも上流側に連通する風路と、カバーの壁面のうち、２次フィルタ部の中心よりも下方の位置に設けられ、風路に連通する塵戻し口と、微細フィルタに付着した塵埃を除去する除塵手段と、除塵手段の動作に連動して塵戻し口を開閉する開閉手段と、開閉手段の開閉状態を検出する開閉検出手段とを備え、制御手段が動作切替スイッチのオン操作による入力信号を受けて除塵手段を動作させ、開閉検出手段が開閉手段の閉状態を検出したときに除塵手段の動作を停止させると共に電動送風機を動作させるようにしたので、電動送風機の動作開始前に、除塵手段が動作させられるため、２次フィルタ部の微細フィルタ付着した塵埃が振るい落とされた後で電動送風機が動作することとなり、２次フィルタ部の塵埃除去メンテナンスが電気掃除機の動作の度に自動的に行われ、電動送風機が動作するときには開閉手段によって塵戻し口が閉じられているため、細塵が巻き上げられて微細フィルタに再度付着するのを防止することができるという効果を有する。
【発明を実施するための最良の形態】
【０００７】
実施の形態１．
図１は本発明の実施の形態１の電気掃除機の電気掃除機本体を上から見た断面図、図２は同電気掃除機の概略構成を示す斜視図、図３は同電気掃除機の２次フィルタ部の周辺を示す斜視図、図４は同電気掃除機の２次フィルタ部の周辺をより立体的に示す斜視図、図５は同電気掃除機の２次フィルタ部の周辺を別の角度から見た斜視図、図６は同電気掃除機の除塵板による微細フィルタに付着した塵埃の振い落し動作を示す説明図、図７は同電気掃除機の塵戻し口とシャッタとの関係を示す説明図、図８は同電気掃除機の塵戻し口とシャッタとの別の関係を示す説明図、図９は同電気掃除機の動作切替スイッチの概略構成を示す斜視図、図１０は同電気掃除機の回路構成図である。
【０００８】
図２において、１は電気掃除機本体であり、吸引風を発生する電動送風機２と電動送風機２により吸引された塵埃を集塵する集塵室４と、集塵室４を通過した細塵を捕集する２次フィルタ部５を内蔵している。
その電気掃除機本体１の接続部７にホース３の一端側が接続されている。そのホース３は電動送風機２の吸引風の強弱と停止を切り替える動作切替スイッチ６を有している。その動作切替スイッチ６の詳細は図８を用いて後述する。
床面に接して被掃除面の塵埃等を吸引するための吸込み具８は延長管９に接続され、その延長管９はホース３の他端側と接続されている。
１０は電源プラグであり電源コンセント（図示せず）に挿入すると商用交流電圧が電気掃除機本体１に印加される。
動作切替スイッチ６を操作し、電動送風機２を駆動させることで、吸込み具８から被掃除面の塵埃は掻き上げられ、塵埃は延長管９、ホース３及び電気掃除機本体１へと搬送され、塵埃は電気掃除機本体１に内蔵された集塵室４と、２次フィルタ部５に集塵されるとともに、吸引風は電気掃除機本体１より外部に排出される。
【０００９】
図１に示すように、電気掃除機本体１は、本体吸気口１１と連結風路１２と集塵室４と１次フィルタ部１３と２次フィルタ部５と微細フィルタ１４と除塵板１５とカバー１６と電動送風機２とバイパス風路１７とを有する。
本体吸気口１１は、電気掃除機本体１の前面に開けられた吸気の進入口で、ホース３が接続されている。吸気はホース３を介して進行し、本体吸気口１１より電気掃除機本体１内に進入する。
【００１０】
連結風路１２は、本体吸気口１１から１次フィルタ部１３に至る風路である。
集塵室４は、１次フィルタ部１３及び２次フィルタ部５により除去された塵埃などのゴミを貯めておく部屋で、上流側を連結風路１２に連通して設けられている。
１次フィルタ部１３は、サスメッシュ等を用いて形成された、比較的大きなゴミを除去するためのフィルタで、集塵室４の下流側に設けられている。
２次フィルタ部５は、側面にプリーツスカート状の微細フィルタ１４を有して形成され、１次フィルタ部１３を通過した微細な塵埃を除去するためのフィルタで、１次フィルタ部１３の下流側に設けられている。その微細フィルタ１４は、ＨＥＰＡ(High Efficiency Particulate Air)フィルタ等を用いて形成されている。
【００１１】
除塵板１５は、弾性を有する板でカバー１６に固着され、微細フィルタ１４のプリーツ状の部分に当接するように設けられている。詳細は図６を用いて後述する。
カバー１６は、２次フィルタ部５を覆うカバーで、吸気を遮断する役割を果たす。
電動送風機２は、吸引力の動力源で、２次フィルタ部５の下流側に設けられている。
バイパス風路１７は、連結風路１２の内側の壁に穿設された孔で、吸気の一部を、１次フィルタ部１３を介さずに２次フィルタ部５へ送り込む役割を果たす。なお、バイパス風路１７は必ずしも設けなくともよい。
また、連結風路１２にサイクロン分離構造を形成し、バイパス風路１７への塵埃の流入を抑制する構成をとってもよい。サイクロン分離構造とは、旋回気流を発生させ、遠心力を利用して空気と塵埃を分離させるものである。
【００１２】
次に、本発明の実施の形態１の電気掃除機の吸気の流れについて説明する。
（１）
本体吸気口１１から電気掃除機本体１に進入した吸気は、カバー１６の正面に衝突し、連結風路１２を介してカバー１６の側面に迂回するようにガイドされる。
なお、連結風路１２の内側の壁にバイパス風路１７を設けている場合は、吸気の一部はこれを通過して、２次フィルタ部５に達する。
（２）
連結風路１２を通過した吸気は、カバー１６の側面に設けられた集塵室４に到達し、集塵室４の下流側に設けられている１次フィルタ部１３に向かう。比較的大きなゴミは、１次フィルタ部１３で除去され、そのまま集塵室４に蓄積される。
（３）
１次フィルタ部１３を通過した吸気は、２次フィルタ部５に到達する。２次フィルタ部５の側面に設けられた微細フィルタ１４により、１次フィルタ部１３を通過した微細な塵埃が除去される。
（４）
２次フィルタ部５を通過した吸気は、２次フィルタ部５の下流に位置する電動送風機２に吸い込まれる。
【００１３】
次に、本発明の実施の形態１の電気掃除機の２次フィルタ部の周辺の構成を図３に基づいて説明する。
円錐台状に形成された２次フィルタ部５は、例えば一端が閉鎖された円筒状に形成されたカバー１６で覆われている。
カバー１６の側面１６ａの下端側である電動送風機２を向いている側は、吸気を電動送風機２へ通過させるために開放されており、吸気の下流側となる。
カバー１６の側面１６ａの下端寄りには、１次フィルタ部１３が設けられており、カバー１６と１次フィルタ部１３が風路１９により連通している。
【００１４】
カバー１６の側面１６ａの壁面のうち、２次フィルタ部５よりも下方の位置には、
塵戻し口１８が設けられており、カバー１６内の塵埃は塵戻し口１８より自然落下して、カバー１６の外に排出される。
カバー１６の下方には、塵戻し口１８に連通する風路１９が設けられている。風路１９は連結風路１２に連通している。
塵戻し口１８より自然落下してカバー１６の外に排出された塵埃は、風路１９を介して連結風路１２に戻される。その後、吸気の流れにしたがって再び１次フィルタ部１３〜２次フィルタ部５を介して除去される。微細な塵埃は、この一連の作業を繰り返すことで、最終的に集塵室４に蓄積する。
【００１５】
このように、カバー１６の下方に設けられた風路１９により、塵埃が必ず１次フィルタ部１３の上流にある集塵室４に集積されることになるため、１次フィルタ部１３と２次フィルタ部５とで個別に集塵室を設ける必要がなく、筐体の小型化を図ることができる。
また、塵埃が自然落下により塵戻し口１８より排出されるため、塵埃排出のための機構を新たに設ける必要がなく、製造の簡易化などの観点から有利である。
【００１６】
なお、風路１９の一方の端部は、上述の通り連結風路１２に連通しているが、もう一方の端部は、必ずしもいずれかの部分に連通していなくともよく、例えばカバー１６、もしくは電気掃除機本体１の筐体で遮断してもよい。
あるいは、風路１９内の通気を良くするために、本体吸気口１１の近傍に連通させるように構成することもできる。このように構成すれば、本体吸気口１１より流入する吸気の一部は風路１９内の塵埃を巻き込んで連結風路１２に向かうため、風路１９内に蓄積した塵埃も除去できる。また、風路１９を介さず、直接連結風路１２に塵戻し口１８を形成してもよい。
このように構成しても、塵戻し口１８には後述の図６で説明するようにシャッタ２０が設けられるため、塵埃が２次フィルタ部５に逆流入することはないので、塵埃が２次フィルタ部５に再付着することはない。
【００１７】
さらに、２次フィルタ部の周辺の吸気の流れを図４の（ａ）、（ｂ）に基づいて説明する。
（１）図４の（ａ）について
図４の（ａ）では、本体吸気口１１〜１次フィルタ部１３〜２次フィルタ部５に至る吸気の流れを太線矢印で示している。
吸気口１１より流入した吸気は、連結風路１２を通過し、集塵室４に達する。続いて１次フィルタ部１３により粗いゴミを除去された後、２次フィルタ部５により細かな塵埃を除去され、電動送風機２に向かって進行する。
（２）図４の（ｂ）について
図４の（ｂ）では、同様に風路１２〜１次フィルタ部１３に至る吸気の流れを太線矢印で示している。
風路１９は、上述の通り連結風路１２に連通しているため、風路１９内の吸気は一旦連結風路１２に戻される。その後は、図４の（ａ）と同様の流れで進行する。
【００１８】
ここで、２次フィルタ部５は、運転を重ねるにつれて微細フィルタ１４に塵埃が詰まるため、次第にフィルタ自体の性能や吸気効率が低下していく場合がある。
こうした事態を回避するため、例えば２次フィルタ部５に振動を加えるなどの手段により、微細フィルタ１４に付着した塵埃を振るい落とすなどのメンテナンスを行う。このとき振るい落とされた塵埃は、塵戻し口１８より自然落下してカバー１６の外に排出される。
【００１９】
さらに、図４の（ｂ）に示す通り、集塵室４の有無を検出する集塵室検出手段２８を集塵室４の下部に設ける。
この実施の形態１では、集塵室検出手段２８をマイクロスイッチとしているが、位置センサ等などのセンサを用いて検出しても良い。
また、図５に示すように、シャッタ２０の開閉を検出するシャッタ開閉検出手段２４が２次フィルター部５の下部に設けられている。この実施の形態１では、シャッタ開閉検出手段２４をマイクロスイッチとしているが、位置センサ等などのセンサを用いて検出しても良い。
さらに、図５に示すように、２次フィルター部５の有無を検出する２次フィルター検出手段２７を２次フィルター部５の下部に設ける。
この実施の形態１では、２次フィルター検出手段をマイクロスイッチとしているが、位置センサ等などのセンサを用いて検出しても良い。
【００２０】
以下、本発明の実施の形態１の電気掃除機において、除塵板１５により微細フィルタ１４に振動を加え、付着した塵埃を振るい落とす動作を行う仕組みについて図６に基づいて説明する。
図６は電気掃除機の除塵板による微細フィルタに付着した塵埃の振い落し動作を示す説明図で、２次フィルタ部５を正面から見たものである。
図５に示すように、除塵板１５は弾性を有する素材で形成され、一端がカバー１６に固着され、他端が２次フィルタ部５の微細フィルタ１４に当接する程度の長さをもって設けられている。
【００２１】
その除塵板１５は弾性を有する素材で形成されているため、図６の（ａ）に示す静止状態から図６の（ｂ）に示すように後述する除塵手段駆動用モータ４０によって２次フィルタ部５を回転させると、２次フィルタ部５の回転に伴って、２次フィルタ部５から横向きの押圧を受けて反るように変形し、押圧から解放されたときに元の形状に戻る。このときに、除塵板１５が２次フィルタ部５を弾いて振動を与えるので、２次フィルタ部５の微細フィルタ１４に付着した塵埃が振るい落とされる。
従って、この場合、除塵手段２５は２次フィルタ部５の微細フィルタ１４に当接する除塵板１５と２次フィルタ部５を回転させる除塵手段駆動用モータ４０とで構成されている。
振るい落とされた塵埃は、カバー１６の下方に設けられた塵戻し口１８より、カバー１６の外に排出される。ただし、塵戻し口１８を常に開口状態にしていると、塵戻し口１８より吸気が逆流入し、振るい落とした塵埃が２次フィルタ部５に再付着してしまう可能性がある。
【００２２】
そこで、振るい落とした塵埃が２次フィルタ部５に再付着しないようにするため、塵戻し口１８には開閉部材であるシャッタ２０が回動自在に設けられている。
このシャッタ２０は塵埃を振るい落とす動作をするとき、即ち２次フィルタ部５が回転するときに開閉するように制御される。
この動作により、吸気の逆流入で、振るい落とした塵埃が２次フィルタ部５に再付着することを防止できる。
この動作の詳細については、後述の図６及び図７で説明する。なお、図１〜図４ではシャッタ２０を示していないが、これは記載の便宜上によるものである。
【００２３】
図７は同電気掃除機の塵戻し口とシャッタとの関係を示す説明図で、塵戻し口１８に設けるシャッタ２０の動作について説明するものである。
シャッタ２０は、電気掃除機の吸引動作中は閉口しており、風路１９を介して吸気がカバー１６の内部に流入しないように、塵戻し口１８を遮断している。
そして、電気掃除機の吸引動作が終了すると、制御手段などの指示に基づき、２次フィルタ部５が回転し、これに伴って除塵板１５が２次フィルタ部５に付着した塵埃を振るい落とす。このとき、掃き落とした塵埃をカバー１６の外に排出するため、シャッタ２０が開口する。このときには、電気掃除機の吸引動作は終了しているため、吸気の流れも停止しており、吸気が逆流入することはない。そして、塵戻し口１８より塵埃を排出した後に、シャッタ２０は閉口する。
【００２４】
次に、シャッタ２０の開閉動作の仕組みについて、図７を用いて説明する。
（１）開口動作
２次フィルタ部５の円周方向周縁には、強度を増すなどの目的で枠５’が設けられ、その枠５’は２次フィルタ部５の回転に伴って回転する。
塵戻し口１８を開閉するシャッタ２０の内壁側には、２次フィルタ部５の枠５’に当接する凸部２１が設けられている。そのシャッタ２０は閉じる方向にバネ等の弾性体によって付勢され負荷が掛けられている。
２次フィルタ部５の枠５’は、回転動作に伴って、凸部２１をカバー１６の外方に押し出す。これにより、シャッタ２０は塵戻し口１８を開口する。
（２）閉口動作
枠５’には、切欠き部２２が設けられている。２次フィルタ部５の回転により、枠５’の切欠き部２２がシャッタ２０の凸部２１の位置に達すると、凸部２１と切欠部２２が嵌合する。これにより、シャッタ２０は塵戻し口１８を閉口する。なお、２次フィルタ部５の回転は、除塵手段駆動用モータ４０によって行われる。
このように、シャッタ２０の開閉動作を、２次フィルタ部５の回転に伴う凸部１５の押し出し動作で行うようにしているので、シャッタ２０のために新たな動力源や開閉制御機構を設ける必要がなく、製造コストや制御の簡略化などの点で有利である。
なお、シャッタ２０の開閉動作を電気的な制御により行うこととしてもよいが、その場合は別途動力源や開閉制御機構を要する。
【００２５】
また、図８に示すように、シャッタ２０に、開く方向にバネ等の弾性体によって付勢して負荷をかけ、２次フィルタ部５の枠５’に突出部２２’を設置し、常時はシャッタ２０は塵戻し口１８を開口している。
２次フィルタ部５の回転により、枠５’の突出部２２’がシャッタ２０の凸部２１の位置に達すると、突出部２２’が凸部２１と接触して係合することにより、シャッタ２０は弾性体の付勢力に抗して閉じる方向に動き、塵戻し口１８を閉口させるようにしてもよい。
【００２６】
なお、吸気が塵戻し口１８よりカバー１６内へ逆流入することを防ぐためには、シャッタ２０の開閉状態を検知するシャッタ開閉検出手段２４がシャッタ２０の開口状態を検知したときに、その状態をマイコンなどの制御手段にフィードバックし、制御手段を介して２次フィルタ部５の駆動機構に回転動作の制御信号を出力したり、電動送風機２を動作させないように制御する必要がある。
なお、シャッタ２０がヒンジ式で開閉するのであれば、開口角を検知するセンサを設ければよい。また、シャッタ２０がスライド式で開閉するのであれば、同様にスライド位置を検知するセンサ等を設ければよい。
【００２７】
上記のように、シャッタ２０の開口状態に基づく制御を行うことにより、以下のような派生的な効果も奏する。
即ち、図７で説明したように、シャッタ２０を閉口させるためには、凸部２１と切欠部２２が嵌合する位置まで、２次フィルタ部５を回転させる必要がある。この間、電動送風機２は動作をしないように制御される。
凸部２１と切欠き部２２が嵌合し、シャッタ２０が閉口すると、電動送風機２の動作が開始する。
したがって、電動送風機２の動作開始前に、２次フィルタ部５がほぼ毎回回転する動作が行われることとなるため、２次フィルタ部５に付着した塵埃が振るい落とされた後で電動送風機２が動作することとなる。
【００２８】
また、シャッタ２０が閉口状態のときは、動作切替スイッチ６を操作すると電動送風機２が動作を開始するが、シャッタ２０が閉口状態で動作切替スイッチ６が操作された場合は、電動送風機２の動作開始前に必ず２次フィルタ部５の回転動作を行いシャッタ２０が開口状態から閉口状態になった変化を検出し、シャッタ２０が閉口状態になったときに電動送風機２を動作させるように制御することもできる。
これによって、電動送風機が動作する前に、必ず除塵手段である除塵手段駆動用モータ４０を動作させ、シャッタ２０の開閉状態をシャッタ開閉手段２４が検出し、シャッタ開閉手段２４が閉状態を検出したときに電動送風機２を動作させるようにしたので、シャッタ２０が開口状態で電動送風機２の運転が開始されることがなくなるので、細塵が巻き上げられて２次フィルタ部５の微細フィルタ１４に再度付着するのを防止させる効果を奏する。
また、２次フィルタ部５の塵埃除去メンテナンスが、電気掃除機の動作の度に自動的に行われるかのような効果を奏する。
【００２９】
次に、動作切り替えスイッチ６の構成について図８に基づいて説明する。
動作切替スイッチ６は、ＳＷ１、ＳＷ２、ＳＷ３を有する。
ＳＷ１は、吸い込み具８に内蔵されたブラシモータのＯＮ−ＯＦＦを切り替えるスイッチである。
ＳＷ２は、強・中・弱のモード切替スイッチである。１押の時、強モードで起動する。２押の時、中モードで起動する。３押の時、弱モードで起動し、以降は強→中→弱を繰り返すである。
ＳＷ３は、電動送風機２の停止等を切り替える切スイッチである。
【００３０】
さらに、本発明の実施の形態１の電気掃除機の回路構成について図９に基づいて説明する。
本実施の形態１の電気掃除機は、電気掃除機本体１、ホース３、延長管５、吸込み具６の４つのブロックの回路で構成されている。
電気掃除機本体１の回路は、商用交流電源３０と15A電流ヒューズ３１を介して接続されている。15A電流ヒューズ３１は電動送風機２がロック等になった場合や回路短絡にて異常となった場合の保護装置である。
さらに、電気掃除機本体１の回路は、商用電源３０に本体駆動用トライアック３３を介して接続された電動送風機２と、商用電源３０に4A電流ヒューズ３２を介して接続された直流電源装置３４と、直流電源装置３４の出力側に接続された定電圧電源３５と、直流電源装置３４の出力側に接続された除塵手段駆動用モータ４０及びトランジスタＴＲ１の直列回路と、定電圧電源３６から５Ｖ電圧が供給される制御手段であるマイクロコンピュータ２９と、マイクロコンピュータ２９に接続されたシャッタ２０の開閉状態を検出するシャッタ開閉検出手段２４、２次フィルタ部５の有無を検出する２次フィルタ検出手段２７及び集塵室４の有無を検出する集塵室検出手段２８とで主として構成されている。
【００３１】
マイクロコンピュータ２９は、シャッタ開閉検出手段２４の状態から判断し、電動送風機２の動作及び停止の制御や除塵手段駆動用モータ４０駆動させるＴＲ１を制御し、２次フィルタ部５を回転させる除塵手段駆動用モータ４０の回転を制御したり、２次フィルタ部検出手段２７の状態から判断し、除塵手段駆動用モータ４０及び電動送風機２の動作及び停止の制御を行ったり、報知手段３９の制御を行ったり、集塵室検出手段２８の状態から判断し、除塵手段駆動用モータ４０及び電動送風機２の動作及び停止の制御を行ったりする。
【００３２】
ここで、4A電流ヒューズ３２はブラシモータ３７がロック等になった場合や回路短絡にて異常となった場合の保護装置である。直流電源装置３４の入力側には、電解コンデンサＣ１と商用交流電源３０の出力を整流するダイオードＤ１が接続されている。また、除塵手段駆動用モータ４０及びトランジスタＴＲ１の直列回路には定電圧電源３５の発振を押さえるための電解コンデンサＣ２が接続されている。さらに、マイクロコンピュータ３２にはブラシモータ３７を駆動させるためのブラシモータ３７駆動用トライアック３６と音と表示とで報知を行う報知手段３９が接続されている。
【００３３】
ホース３の回路は３本のピアノ線が内蔵されているジャバラ部（図示せず）と動作切替スイッチ６を有している。動作切替スイッチ６はスイッチSW1〜SW3と抵抗R1〜R4が内蔵されている。
その動作切替スイッチ６は、本体側の回路に内蔵された抵抗R5とR1,R2,R3,R4の分割によりスイッチSW1〜SW3のオン状態の組み合わせにより、マイクロコンピュータ２９への入力電圧を変化させる。マイクロコンピュータ２９はその入力電圧の変化に応じて運転モードを判断し、電動送風機２への供給電力とブラシモータ３７の制御を行う。
吸込み具８の回路は、ブラシモータ３７と、回転ブラシ（図示せず）を停止させるための安全スイッチ３８とを有している。この安全スイッチ３８は吸込み具６から突出するピンを有し、掃除のときには床面と接触してそのピンが吸込み具６の内部に入ってオンしており、例えば吸込み具６が空中に持ち上げられた場合にそのピンが飛び出してオフするというものである。
【００３４】
本発明の実施の形態１の電気掃除機の動作を説明する。
電動送風機本体１電源プラグ１０を電源コンセントに挿入し、掃除動作待機中の状態である。掃除を開始するとき、動作切替スイッチ６のうち、強、中、弱のいずれかのモードを設定するようにモード切替スイッチＳＷ２が操作されると、制御手段であるマイクロコンピュータ２９が除塵手段２５の１つである除塵手段駆動用モータ４０を動作させる。この場合、電動送風機２が動作する前に必ず除塵手段駆動用モータ４０が動作するようになっている。
そして、除塵手段駆動用モータ４０が動作すると、２次フィルタ部５が回転させられ、例えば図７や図８では２次フィルタ部５が最大１回転すると、開口していたシャッタ２０が閉口状態になる。この２次フィルタ部５の回転により除塵手段動作処理が行われる。
【００３５】
なお、２次フィルタ部５が最大１回転すると、開口していたシャッタ２０が閉口状態になるのは、円形の枠５’に切欠部２２又は突出部２２’を一箇所設けた場合であり、１８０°の間隔で２箇所設ければ、最大１／２回転すると、開口していたシャッタ２０が閉口状態になるものであり、切欠部２２又は突出部２２’を所定間隔を置いて設ける個数でどれ位回転すれば開口していたシャッタ２０が閉口状態になるかを適宜に設定することができる。
このシャッタ２０の開閉状態をシャッタ開閉検出手段２４が検出しており、シャッタ開閉検出手段２４がシャッタ２０の閉口を検出すると、マイクロコンピュータ２９が除塵手段駆動用モータ４０の動作を停止させて除塵手段停止処理を行う。そして、除塵手段停止処理が完了した後、マイクロコンピュータ２９が電動送風機２を動作させて掃除の状態に入ることとなる。
【００３６】
以上のように、本発明の実施の形態１の電気掃除機によれば、吸引風を発生する電動送風機２と、電動送風機２の動作を切り替える動作切替スイッチ６と、吸引された塵埃を捕集する集塵室４と、集塵室４の下流に設けられた１次フィルタ部１３と、１次フィルタ部１３を通過した微細な塵埃を除去する微細フィルタ１４を有する２次フィルタ部５と、２次フィルタ部５を覆うカバー１６を設けるとともに、そのカバー１６の下方に１次フィルタ部１３よりも上流側に連通する風路１９を形成し、カバー１６の壁面のうち、２次フィルタ部５の中心よりも下方の位置に、風路１９に連通する塵戻し口１８を設け、微細フィルタ１４に付着した塵埃を除去する除塵手段２５と、除塵手段２５の動作に連動し、塵戻し口１８を開閉する開閉手段であるシャッタ２０を設け、シャッタ２０の開閉を検出するシャッタ開閉検出手段２４と、動作切替スイッチ６とシャッタ開閉検出手段２４の信号が入力され、除塵手段２５と電動送風機２の動作を制御する制御手段であるマイクロコンピュータ２９とを備え、動作切替スイッチ６のモード切替スイッチＳＷ２が使用者により操作されたとき、除塵手段２５を動作させ、シャッタ開閉検出手段２４がシャッタ２０の閉状態を検出したとき電動送風機２を動作させるようにしたので、電動送風機２の動作開始前に、除塵手段２５の動作が行われることとなるため、２次フィルタ部５に付着した塵埃が振るい落とされた後で電動送風機２が動作することにより、２次フィルタ部５の塵埃除去メンテナンスが、電気掃除機の動作の度に自動的に行われることとなる。
【００３７】
また、シャッタ２０は、除塵手段２５である除塵手段駆動用モータ４０による２次フィルタ部５の回転に伴い開閉するので、吸気動作停止中にのみ２次フィルタ部５を回転させるように制御し、吸気の逆流入で塵埃が２次フィルタ部５に再付着することを防止できる。
さらに、２次フィルタ部５の周縁の枠５’に切欠き部２２を設けるとともに、シャッタ１４の内壁側に、枠５’に当接する凸部２１を設け、２次フィルタ部５は、回転動作に伴って凸部２１を押し出してシャッタ２０を開口させ、切欠き部２２が凸部２１の位置に達すると、凸部２１と切欠き部２２が嵌合して、シャッタ２０が閉口するように形成されたので、シャッタ２０の開閉のために新たな駆動機構や動力源を設ける必要がなく、制御の簡易化や電気掃除機全体の小型化、製造コストの低減などに資する。
【００３８】
また、２次フィルタ部５の周縁の枠５’に突出部２２’を設けるとともに、シャッタ２０を弾性体により開口方向に負荷を掛け、シャッタ２０の内壁側に、枠５’に当接する凸部２１を設け、２次フィルタ部５は、突出部２２’が凸部２１の位置に達すると、凸部２１と突出部２２’とが接触して係合することで、シャッタ２０が閉口するように形成されたので、シャッタ２０の開閉のために新たな駆動機構や動力源を設ける必要がなく、制御の簡易化や電気掃除機全体の小型化、製造コストの低減などに資する。
【００３９】
次に、２次フィルター検出手段２７が設けられている場合について説明する。
電気掃除機本体１の集塵部にカバー１６を装着するとき、２次フィルター部５をカバー１６に装着した状態で、電気掃除機本体１の集塵部に装着した状態においては２次フィルター検出手段２７がＯＮ状態となり、ＯＮ状態になったことをマイクロコンピュータ２９が判断して、除塵手段２５及び電動送風機２を動作可能状態にする。
また、２次フィルター部１４をカバー１６に装着しない状態で、電気掃除機本体１の集塵部に装着した状態においては、２次フィルター検出手段２７がＯＦＦ状態となり、ＯＦＦ状態になったことをマイクロコンピュータ２９が判断して、除塵手段２５及び電動送風機２を動作不可状態にする。
【００４０】
このように、２次フィルター部５が装着されていない場合は、除塵手段２５及び電動送風機２を動作させないようにしたので、塵埃が電動送風機２に吸い込まれることが無くなり故障を防止でき安全性を向上することができる。
さらに、２次フィルター部５をカバー１６に装着しない状態で、電気掃除機本体１の集塵部に装着した状態においては、２次フィルター検出手段２７がＯＦＦ状態となり、ＯＦＦ状態になったことをマイクロコンピュータ２９が判断して、除塵手段２５及び電動送風機２を動作不可状態となったときは、報知手段３９の報知音と表示により、２次フィルター部５が装着されていないことを、使用者に知らせる報知を行ってもよい。
また、動作切替スイッチ６のモード切替スイッチＳＷ２を押下しても電動送風機２は動作しないので、モード切替スイッチＳＷ２を押下された場合は、報知手段３９の表示はそのままにして報知音が止まった後にピッピという音で使用者に知らせる受付拒否報知を行っても良い。この報知手段３９による報知を行うことにより動作の停止を知ることができる。
【００４１】
さらに、集塵室検出手段２８が設けられている場合について説明する。
電気掃除機本体１の集塵部に集塵室４を装着するとき、集塵室４を電気掃除機本体１の集塵部に装着した状態においては集塵室検出手段２８がＯＮ状態となり、ＯＮ状態になったことをマイクロコンピュータ２９が判断して、除塵手段２５及び電動送風機２を動作可能状態にする。
また、集塵室４を電気掃除機本体１の集塵部に装着しない状態においては、集塵室検出手段２８がＯＦＦ状態となり、ＯＦＦ状態になったことをマイクロコンピュータ２９が判断して、除塵手段２５及び電動送風機２を動作不可状態にする。
このように、集塵室４が装着されていない場合は、除塵手段２５及び電動送風機２を動作させないようにしたので、塵埃が電動送風機２に吸い込まれることが無くなり故障を防止でき安全性を向上することができる。
【００４２】
また、集塵室４が装着されていない状態において、回転する２次フィルタ部１４に使用者が触れられる状態となっている場合は、除塵手段２５を動作不可状態としたので、使用者が誤って触れた場合でも指の挟まり等を防止でき、安全性を向上することができる。
さらに、集塵室４を電気掃除機本体１の集塵部に装着しない状態においては、集塵室検出手段２８がＯＦＦ状態となり、ＯＦＦ状態になったことをマイクロコンピュータ２９が判断して、除塵手段２５及び電動送風機２を動作不可状態となったときは、報知手段３９により集塵室４が装着されていないことを、使用者に知らせる報知を行ってもよい。また、動作切替スイッチ６のモード切替スイッチＳＷ２を押下しても電動送風機２は動作しないので、モード切替スイッチＳＷ２を押下された場合は、報知手段３９により、使用者に知らせる受付拒否報知を行っても良い。この報知手段３９による報知を行うことにより動作の停止を知ることができる。
【００４３】
実施の形態２．
図１１は本発明の実施の形態２の電気掃除機の回路構成図である。
この実施の形態２では、図１１に示すように、２次フィルタ部検出手段２７と集塵室検出手段２８を電気的に直列接続する。
その他の回路構成については、実施の形態１の図１０にて説明した内容と同様のために省略する。
電気掃除機本体１の集塵部に２次フィルター部１４と集塵室４の両方が挿入されたときマイクロコンピュータ２９が判断して、除塵手段２５及び電動送風機２を動作可能状態にする。
２次フィルター部１４と集塵室４のどちらか一方が挿入された場合は、マイクロコンピュータ２９が判断して、除塵手段２５及び電動送風機２を動作不可状態にする。  このように、２次フィルタ部検出手段２７と集塵室検出手段２８を電気的に直列接続することにより、マイクロコンピュータ２９に接続される配線が減るので、基板の小スペース化が図れ安価な基板作成が可能となる。
【００４４】
実施の形態３．
使用者が動作切替スイッチ６のモード切替スイッチＳＷ２を押下して除塵手段２５の動作処理が開始された場合に、シャッター開閉検出手段２６のシャッタ２０の開口状態を例えば１０秒間という所定時間連続して検出した場合、マイクロコンピュータ２９は、除塵手段２５を停止させる制御を行い、また報知手段３９を制御して故障報知を行う。なお、電動送風機２も停止させられている。
このように、シャッター開閉検出手段２６が所定時間連続して開口状態を検出するということは、シャッター開閉検出手段２６自体又はシャッタ２０の開閉機構が故障した場合であり、報知手段３９による報知を行うことにより使用者は、故障による停止を知ることができる。
【００４５】
実施の形態４．
使用者が動作切替スイッチ６のモード切替スイッチＳＷ２を押下して除塵手段２５の動作処理が開始された場合に、シャッター開閉検出手段２６のシャッタ２０の開口状態を所定時間連続して検出した場合、マイクロコンピュータ２９は、除塵手段２５を停止させる制御を行い、また報知手段３９に故障報知を行わせるが、使用者が再度動作切替スイッチ６のモード切替スイッチＳＷ２を押下したときは、当然電動送風機２及び除塵手段２５は動作不可状態になっている。
そこで、このような使用不可状態を使用者に再度知らせるために、再度動作切替スイッチ６のモード切替スイッチＳＷ２を押下したときには報知手段３９に先の故障報知と異なる受け付け拒否音を報知させる。
【００４６】
実施の形態５．
図１２は本発明の実施の形態５の電気掃除機の動作を示すフローチャートである。
本発明の実施の形態５の電気掃除機の動作を図１２のフローチャートに基づいて説明をする。
電動送風機本体１の電源プラグ１０を電源コンセントに挿入すると、掃除動作待機中の状態となり、掃除を開始するためには動作切替スイッチ６のモード切替スイッチＳＷ２の操作が行われることとなる。
そこで、動作切替スイッチ６のモード切替スイッチＳＷ２の操作が行われたかどうかの判断をまず行う（ステップＳ１）。
動作切替スイッチ６のＳＷ２の操作が行われた場合には除塵手段動作処理が開始され、即ち防塵手段駆動用モータ４０が回転させられる（ステップＳ２）。
次に、シャッタ開閉検出手段２４がシャッタ２０の開閉状態を検出し、シャッタ２０が開口しているかどうか判断し（ステップＳ３）、シャッタ２０が開口していれば次にシャッタ２０が閉口しているかどうか判断し（ステップＳ４）、シャッタ２０が閉口していれば除塵手段停止処理が行われ、即ち防塵手段駆動用モータ４０が回転が停止させられ（ステップＳ５）、その後電動送風機動作処理、即ち電動送風機２が回転させられて掃除動作が行われる（ステップＳ６）。
【００４７】
掃除動作が行われたら、その後はステップＳ１に戻り、動作切替スイッチ６のモード切替スイッチＳＷ２の操作が行われたかどうかの判断を行い、モード切替スイッチＳＷ２の操作がされなかったら、動作切替スイッチ６の切スイッチＳＷ３が操作されたかどうかを判断し（ステップＳ７）、切スイッチＳＷ３が操作されなかった場合はステップＳ２４のＲＥＴに進む、即ちステップＳ１の前に戻る。
切スイッチＳＷ３が操作された場合は、電動送風機２が動作時に切スイッチＳＷ３が操作されたか、又は電動送風機２が停止時に切スイッチＳＷ３が操作されたかの判断を行う（ステップＳ８）。
電動送風機２が動作時に切スイッチＳＷ３が操作された場合は電動送風機２の停止処理を行い（ステップＳ９）、電動送風機２が停止時に切スイッチＳＷ３が操作された場合はステップＳ２０に進む。
【００４８】
電動送風機２の停止処理を行った後は、電動送風機２が停止してから除塵手段２５の動作を開始するまでの待機時間をセットし（ステップＳ１０）、その後に除塵動作待機時間が経過したかの判断を行う（ステップＳ１１）。
除塵動作待機時間を持たせる理由としては、電動送風機２の停止動作を行った後も、余力で電動送風機２が動作しているため完全に停止するまで除塵手段を動作させないようにしたものである。なお、電動送風機２が動作しているときにはシャッタ２０は閉口状態にある。
このように電動送風機２が動作しているために、完全に停止するまで除塵手段２５を動作させないようにしたので、電動送風機２が余力で動作しているときにシャッタ２０が開口状態になることがないので、細塵が巻き上げられて細塵フィルタに再度付着するのを防止させることができる効果を奏する。
【００４９】
ステップＳ１１にて待機時間が経過していない場合は、Ｓ１９へ進む。Ｓ１９ではＳ１４の待機時間中に切スイッチＳＷ３を操作されたかの判断を行う。待機時間中に切スイッチＳＷ３が操作されなかったときは、Ｓ１１に戻る。待機時間中に切スイッチＳＷ３が操作された場合はステップＳ２０へと進む。
Ｓ２０では、シャッタ２０が閉口状態かの判断を行う。シャッタ２０が開口状態のときは、ステップＳ２４へ進む。
シャッタ２０が閉口状態のときは、除塵手段２５の動作処理を行う（ステップＳ２１）。除塵手段２５を動作させた後は、シャッタ２０が開口状態かの判断を行う（ステップＳ２２）。シャッタ２０が閉口状態のときは、シャッタ２０が開口状態になるまで除塵手段２５の動作を継続し、シャッタ２０が開口状態となったときに、除塵手段２５を停止させる処理を行う（ステップＳ２３）。
【００５０】
ステップＳ８で電動送風機２が停止状態にて切スイッチＳＷ３が操作された場合は、Ｓ２０へ進み上記と同じ動作を行う。
また、上述の如く、ステップＳ１１にて待機時間が経過した場合は、除塵手段２５の動作処理を行う（ステップＳ１２）。
次に、シャッタ２０が開口状態から閉口状態となる回数をセットする（ステップＳ１３）。この回数は、除塵手段２５である除塵手段駆動用モータ４０の回転回数である。
【００５１】
その後、シャッタ開閉検出手段２４によりシャッタ２０が開口状態であるかの判断を行う（ステップＳ１４）。シャッタ２０が開口状態であれば、今度はシャッタ２０が閉口状態になっているかどうかの判断を行う（ステップＳ１５）。
そして、シャッタ２０が閉口状態であれば、次にシャッタ２０が開口状態になるように、シャッタ２０の開口と閉口を繰り返し、シャッタ２０が開口状態から閉口状態となる回数が所定回数経過したかどうかの判断を行う（ステップＳ１６）。
シャッタ２０が開口状態から閉口状態となる回数が所定回数経過した場合は、シャッタ２０が開口状態かの判断を行い（ステップＳ１７）、シャッタ２０が開口状態のときは除塵手断２５の動作を停止させる（ステップＳ１８）。なお、ステップＳ１７において、シャッタ２０が閉口状態のときは、シャッタ２０が開口状態となるまで除塵手段２５を動作させる。
【００５２】
この実施の形態５のように掃除中に動作切替スイッチ６の切スイッチＳＷ３が操作され、電動送風機２が停止して、除塵手段２５を停止させるときは必ずシャッタ２０が開口状態となるようにした。
この実施の形態５のようにしたことは、図８に示すシャッタ２０の構成時に次のような効果がでる。
図８に示すように、シャッタ２０に、開く方向にバネ等の弾性体によって負荷をかけ、２次フィルタ部５の枠５’に突出部２２’を設置し、突出部２２’と凸部２１とが接触して係合することにより、シャッタ２０を閉口させているが、突出部２２’と凸部２１とが接触して係合した状態を維持したまま放置しておくと応力がかかった状態にて放置しておくことなり、変形等の危険性がある。
【００５３】
また、変形等が発生した場合は、シャッタ２０の開閉動作が正常に動作せずシャッタ２０が完全に閉口しない場合が発生する。
そこで、上記のような応力がかかった状態にて放置する状態を避けるため、電動送風機２が停止して、除塵手段２５を停止させるときは必ずシャッタ２０が開口状態となるようにした。シャッタ２０の状態を開口状態で放置させるようにしたので、シャッタ２０の開閉機構の変形等が防止できる。
また、防塵動作所定回数をセットするようにしたのは、防塵動作を行わせるために、防塵手段２５を駆動して２次フィルタ部５回転させ、シャッタ２０の開口と閉口を繰り返すことにより、防塵効果が増大するからである。
【００５４】
実施の形態６．
図１３は本発明の実施の形態６の電気掃除機の動作を示すフローチャートである。
本発明の実施の形態６の電気掃除機の動作を図１３のフローチャートに基づいて説明をする。
この実施の形態６の図１３のフローチャートにおいては、実施の形態５の図１２のフローチャートのステップＳ１５とＳ１６との間に、ステップＳ１５Ａ〜Ｓ１５Ｄを設けた点が図１２のフローチャートと異なる点である。その他は図１２と同様なので説明を省略する。
ステップＳ１５にてシャッタ２０が閉口状態状態と判断したときに、除塵手段２５の駆動を停止させる時間をセットする（ステップＳ１５Ａ）。
その後に、ステップＳ１５Ａでセットした所定時間が経過するまで除塵手段の停止処理を行う（ステップＳ１５Ｂ）。
次に、除塵手段の停止処理がセットした所定時間が経過しているかどうかを判断し（ステップＳ１５Ｃ）、所定時間が経過していれば、除塵手段の動作処理を行う（ステップＳ１５Ｄ）。
【００５５】
この実施の形態６のようにしたことは、図８に示すシャッタ２０の構成時に次のような効果がでる。
図８に示すように、シャッタ２０に、開く方向にバネ等の弾性体によって負荷をかけ、２次フィルタ部５の枠５’に突出部２２’を設置し、その突出部２２’とシャッタ２０の凸部２１とが接触して係合することにより、シャッタ２０を閉口させているが、除塵手段２５が回転動作して突出部２２’と凸部２１とが接触し始めると、負荷が発生して回転数が落ちる減少が生じ、回転数が減少するため、負荷がかからない場所の音と負荷のかかる場所の音に変化が生じうなり音のように聞こえる場合がある。  そこで、負荷のかかる場所において除塵手段２５の回転動作を一旦停止させることにより、負荷のかかる場所でのうなり音の発生を防止するようにしたものである。
【図面の簡単な説明】
【００５６】
【図１】本発明の実施の形態１の電気掃除機の電気掃除機本体を上から見た断面図。
【図２】同電気掃除機の概略構成を示す斜視図。
【図３】同電気掃除機の２次フィルタ部の周辺を示す斜視図。
【図４】同電気掃除機の２次フィルタ部の周辺をより立体的に示す斜視図。
【図５】同電気掃除機の２次フィルタ部の周辺を別の角度から見た斜視図。
【図６】同電気掃除機の除塵板による微細フィルタに付着した塵埃の振い落し動作を示す説明図。
【図７】同電気掃除機の塵戻し口とシャッタとの関係を示す説明図。
【図８】同電気掃除機の塵戻し口とシャッタとの別の関係を示す説明図。
【図９】同電気掃除機の動作切替スイッチの概略構成を示す斜視図。
【図１０】同電気掃除機の回路構成図。
【図１１】本発明の実施の形態２の電気掃除機の回路構成図。
【図１２】本発明の実施の形態５の電気掃除機の動作を示すフローチャート。
【図１３】本発明の実施の形態６の電気掃除機の動作を示すフローチャート。
【符号の説明】
【００５７】
１  電気掃除機本体、２  電動送風機、３  ホース、４  集塵室、５  ２次フィルタ部、６  動作切替スイッチ、１１  本体吸気口、１２  連絡風路、１３  １次フィルタ部、１４  微細フィルタ、１５  除塵板、１６  カバー、１８  塵戻し口、１９  風路、２０  シャッタ（開閉部材）、２１  凸部、２２  切欠部、２２’  突出部、２４  シャッタ開閉検出手段、２５  除塵手段、２７  ２次フィルタ部検出手段、２８  集塵室検出手段、２９  マイクロコンピュータ（制御手段）。
【図１】
2008104782.tif 000003
【図２】
2008104782.tif 000004
【図３】
2008104782.tif 000005
【図４】
2008104782.tif 000006
【図５】
2008104782.tif 000007
【図６】
2008104782.tif 000008
【図７】
2008104782.tif 000009
【図８】
2008104782.tif 000010
【図９】
2008104782.tif 000011
【図１０】
2008104782.tif 000012
【図１１】
2008104782.tif 000013
【図１２】
2008104782.tif 000014
【図１３】
2008104782.tif 000015